(57)【要約】      （修正有）【課題】携帯性に優れ、利便性が高く、患者にとって投薬タイミングを簡易に管理できる投薬管理装置を提供する。【解決手段】本投薬管理装置は、装置本体内に、投薬間隔カウント数が記憶された記憶手段１１、カウントを計測するカウンタ計測手段１２、カウント開始用およびアラーム停止用のボタン手段であって、該ボタン手段が最初に押されたときからカウンタ計測手段がカウントを開始するボタン手段１３、カウント数が投薬間隔カウント数に達した場合にアラーム音及び／又は音声メッセージを出力する投薬タイミング告知手段１４を備える。【選択図】図１
0003151133.tif 000002
【実用新案登録請求の範囲】
【請求項１】
投薬間隔カウント数が記憶された記憶手段と、
カウントを計測するカウンタ計測手段と、
カウント開始用およびアラーム停止用のボタン手段であって、
前記ボタン手段が最初に押されたときから前記カウンタ計測手段がカウントを開始するボタン手段と、
カウント数が前記投薬間隔カウント数に達した場合にアラーム音及び／又は音声メッセージを出力する投薬タイミング告知手段と、
を備えたことを特徴とする投薬管理装置。
【請求項２】
請求項１の投薬管理装置において、
更に、
表示手段を備え、
投薬タイミング告知のメッセージを表示できる、
ことを特徴とする投薬管理装置。
【請求項３】
請求項１の投薬管理装置において、
更に、
薬の服用実施の有無を記録する投薬実施ボタン手段と、
表示手段と、を備え、
前記表示手段に、投薬タイミング告知のメッセージおよび薬剤服用状況を表示できることを特徴とする投薬管理装置。
【請求項４】
請求項１の投薬管理装置において、
更に、
バイブレーション手段を備え、
前記アラーム音及び／又は音声メッセージを出力する際に、装置本体を振動できる、
ことを特徴とする投薬管理装置。
【請求項５】
請求項１の投薬管理装置において、
装置本体が薬剤を収納できる形状とされる、
ことを特徴とする投薬管理装置。
【請求項６】
請求項１の投薬管理装置において、
記憶手段と、カウンタ計測手段と、投薬タイミング告知手段がＩＣモジュールで構成され、
装置本体が、薄型カード、携帯ストラップ、キーホルダーなどの携帯性を有する形態であることを特徴とする投薬管理装置。  
【考案の詳細な説明】
【技術分野】
【０００１】
本考案は、病院などで処方された投薬や薬局などで購入した薬について、患者が所定の間隔で服用し、飲み忘れや誤飲を予防できるように服用時刻を患者に告知する装置に関する。
【背景技術】
【０００２】
病院などで処方された投薬や薬局などで購入した薬について、その効力や安全性などに基づき、服用量、服用間隔、服用期間などが定められている。薬の中には、服用期間中、毎日一定時期に服用するタイプもあれば、定期的に服用期間と休薬期間とのサイクルが設定されたタイプもある。いずれも定められた服用量、服用間隔、服用期間に従って服用しなければ薬の効果が減少する。
例えば、２１日間服用して７日間休薬するタイプの避妊薬は休薬期間後の再服用時飲み忘れてしまうなどしてしまうと、再度服用サイクルを設定し最初から服用し直す必要がある。
また、投薬する薬の種類が多い場合、どの薬を、いつ、どれだけ服用したらよいのか混乱し、服用する薬の種類や、服用間隔、服用量を間違えたりする場合もある。
【０００３】
特に、高齢者の方の場合、１回の服用でどの薬を何錠服用したらよいのかわからなくなったり、服用したにもかかわらず服用したこと自体を忘れてしまい薬を重複して服用してしまったり、服用したと思い込んで実際には服用しなかったりするなど、誤飲や飲み忘れがあり、確実な薬剤投与が求められている。
【０００４】
従来から、通信回線を用いて、病院側のコンピュータ端末から患者側のコンピュータ端末に対して、投薬管理データを送信し、患者が服用する薬が処方通りに服用されているか否かを管理するシステムが知られている（例えば、特許文献１を参照）。しかし、従来のこのようなシステムの場合、患者にとって、携帯できる簡易なものではないため、利用の不便が生じていた。
【先行技術文献】
【特許文献】
【０００５】
【特許文献１】特開平１０−２０１８２７号公報
【考案の概要】
【考案が解決しようとする課題】
【０００６】
上記状況に鑑みて、本考案は、携帯性に優れ、利便性が高く、患者にとって投薬タイミングを簡易に管理できる投薬管理装置を提供することを目的とする。
【課題を解決するための手段】
【０００７】
上記目的を達成すべく、本考案の投薬管理装置は、少なくとも装置本体内に、
１）投薬間隔カウント数が記憶された記憶手段
２）カウントを計測するカウンタ計測手段
３）カウント開始用およびアラーム停止用のボタン手段であって、該ボタン手段が最初に押されたときからカウンタ計測手段がカウントを開始するボタン手段
４）カウント数が投薬間隔カウント数に達した場合にアラーム音及び／又は音声メッセージを出力する投薬タイミング告知手段
を備えた構成とされる。
【０００８】
かかる構成によれば、薬毎に、アラーム音や音声メッセージで患者に投薬タイミングの告知を行える。アラーム音はブザー音や音楽のフレーズ音などであり、また音声メッセージは事前に登録された音声によるメッセージである。
【０００９】
また、上記の投薬管理装置において、表示手段を更に備えることが好ましい態様である。表示手段は、投薬タイミング告知のメッセージを表示でき、上記のアラーム音の出力と共に、患者に投薬タイミングを知らせるものである。
ここで、表示手段は、液晶ディスプレイなどの小型の表示パネルを意味する。
【００１０】
また、上記の投薬管理装置において、薬の服用実施の有無を記録する投薬実施ボタン手段と、表示手段を更に備えることが好ましい態様である。
薬の服用実施の有無を記録することで、表示手段に、投薬タイミング告知のメッセージおよび薬剤服用状況を表示できる。
【００１１】
また、上記の投薬管理装置において、バイブレーション手段を更に備えることが好ましい態様である。
バイブレーション手段は、投薬タイミング告知の際、すなわち、アラーム音及び／又は音声メッセージを出力する際に、装置本体を振動させ、アラーム音の出力と共に振動により、患者に投薬タイミングを知らせることができる。
ここで、装置本体の振動は、アラーム音等の出力と同期して振動してもよいし、非同期に振動してもよい。また、アラーム音等の出力から一定時間振動を継続するものでもよい。
【００１２】
また、上記の投薬管理装置において、装置本体が、薬剤を収納できる形状されることが好ましい態様である。
装置本体が薬剤を収納できる形状とされることにより、投薬管理装置は、患者に投薬タイミングを知らせると共に、患者が装置本体内から薬剤を取り出して、投薬タイミングの告知後に遅滞なく薬剤を飲用できる。
ここで、薬剤を収納できる形状とは、装置本体の内部に空間が設けられ、その空間に薬を出し入れできる蓋部または開口部を備えるものである。なお、蓋部としては、例えば、外側に開けられる蓋部やスライド式の蓋部などが挙げられる。また、開口部としては、例えば、錠剤などの薬剤の形状自体が通過できる程度の開口部や、装置本体が分割され一部がスライド機構によりスライドして装置本体の空間を開口するものが挙げられる。
【００１３】
また、上記の投薬管理装置において、記憶手段と、カウンタ計測手段と、投薬タイミング告知手段がＩＣモジュールで構成され、装置本体が、薄型カード、携帯ストラップ、キーホルダーのいずれかの形態を有することが好ましい。
薄型カード、携帯ストラップ、キーホルダーのいずれかの形態を有することにより、携帯性に優れ、装置の利便性を向上させることができる。なお、携帯性に優れていれば他の形状でもかまわない。
【考案の効果】
【００１４】
本考案の投薬管理装置によれば、携帯性に優れ、利便性が高く、患者にとって投薬タイミングを簡易に管理できるといった効果を有する。
【図面の簡単な説明】
【００１５】
【図１】実施例１の投薬管理装置の機能ブロック図
【図２】実施例１の投薬管理装置のＩＣモジュールの構成図
【図３−１】実施例１の投薬管理装置の処理フロー図（１）
【図３−２】実施例１の投薬管理装置の処理フロー図（２）
【図４】実施例１の投薬管理装置の外観図
【考案を実施するための最良の形態】
【００１６】
以下、本考案の実施形態について、図面を参照しながら詳細に説明していく。なお、本考案の範囲は、以下の実施例や図示例に限定されるものではなく、幾多の変更及び変形が可能である。
【実施例１】
【００１７】
図１は、実施例１の投薬管理装置の機能ブロック図を示している。実施例１の投薬管理装置は、図１に示すように、投薬間隔カウント数が記憶された記憶手段１１と、カウントを計測するカウンタ計測手段１２と、カウント開始用およびアラーム停止用のボタン手段１３と、外部にアラーム音を出力する投薬タイミング告知手段１４とから構成される。
記憶手段１１は、カウンタ２１と投薬間隔カウント数２２を有している。
この投薬間隔カウント数は、予め設定された定数である。投薬間隔カウント数は、１種類の定数であったり、また、複数の定数であったりする。複数の定数の場合は、投薬間隔カウント数はテーブル形式で記憶されている。例えば、１回目の投薬間隔カウント数、２回目の投薬間隔カウント数、・・・、Ｎ回目の投薬間隔カウント数といったものである。
また、ボタン手段１３は、カウント開始用とアラーム停止用の少なくとも２種類の機能がある。ボタン手段１３は、例えば、押しボタンスイッチや、スライド式ボタンスイッチなどのＯＮ／ＯＦＦスイッチ機能があるものであればよい。ボタン手段１３の信号は、カウンタ計測手段１２のカウント開始信号として用いられる。カウント開始信号が入ることにより、カウンタ計測手段１２はカウンタ２１を更新し始める。また、ボタン手段１３の信号は、投薬タイミング告知手段１４のアラーム停止信号として用いられる。アラーム停止信号が入ることにより、投薬タイミング告知手段１４はアラーム音を停止する。
投薬タイミング告知手段１４は、カウンタ２１と投薬間隔カウント数２２を参照し、カウンタ２１の値が投薬間隔カウント数２２を超えた場合は、アラーム音や音声メッセージを出力する。
【００１８】
また、この記憶手段１１と、カウンタ計測手段１２と、投薬タイミング告知手段１４とは、ＩＣモジュールで構成されており、投薬管理装置本体は、ＩＣモジュールを内蔵している。図２に示すように、このＩＣモジュール３０は、ＣＰＵ３１、ＲＡＭ（揮発性メモリ）３２、ＰＲＯＭ（書き込み可能なメモリ）３３、ＶＣＣ（電源電圧供給用のＶＣＣ端子）、ＧＮＤ（接地用のＧＮＤ端子）、ＲＳＴ（リセット信号端子）、ＣＬＫ（クロック信号端子）、Ｉ／Ｏ（データ入出力用端子）で構成されている。
【００１９】
記憶手段１１は、ＲＡＭ３２、ＰＲＯＭ３３で構成されており、ＰＲＯＭ３３に投薬間隔カウントが記憶されている。投薬間隔カウントは、患者が服用する薬毎に、ＰＲＯＭ３３に書き込まれる。書き込みは、患者に本投薬管理装置が渡される前に、病院などにおいてコンピュータ端末と本投薬管理装置と接続させ、投薬間隔カウント数などのデータを転送して行なう。
【００２０】
例えば、毎日朝・昼・晩と服用する薬の場合、８時間毎で薬を服用することとなるので、投薬間隔カウント数は、８時間に相当するクロック信号のカウント数となる。
【００２１】
また、避妊薬など２１日間服用して７日間休薬するタイプの薬の場合、最初の２１日間は２４時間毎で薬を服用し、２２日目から２８日目までは薬を服用しないので、投薬間隔カウント数は、２４時間に相当するクロック信号のカウント数を２０回繰り返した後、投薬間隔カウント数は一時的に１６８時間に相当するクロック信号のカウント数となる。すなわち、投薬間隔カウント数は、２４時間に相当するクロック信号のカウント数を２０回カウントし（最初は１回目の飲み始めの際のアラーム音が不要なため、２０回となる）、１６８時間に相当するクロック信号のカウント数を１回カウントし、次に、２４時間に相当するクロック信号のカウント数を２１回カウントし、１６８時間に相当するクロック信号のカウント数を１回カウントし、これを繰り返すことになる。
このような場合、投薬間隔カウント数はテーブル形式で記憶され、１回目の投薬間隔カウント数、２回目の投薬間隔カウント数、・・・、２０回目の投薬間隔カウント数までは同じ値を示し、２１回目の投薬間隔カウント数が異なる値を示し、２２回目の投薬間隔カウント数、・・・、４２回目の投薬間隔カウント数が元の同じ値を示すことになる。
【００２２】
次に、投薬管理装置の処理フローについて、図３−１及び図３−２を参照しながら説明する。
先ず、装置本体の電源を入れることからスタートする。装置本体の電源を入れる方法としては、装置本体に搭載される小型薄型電池を取り付けるか、絶縁フィルム紙などを利用して電気が流れないようにしておいた状態から、絶縁フィルム紙を取り除いて電気が流れる状態にする方法がある。
装置本体の電源が入った後は、ボタン手段のボタンが最初に押された時に（ステップＳ０１）、カウンタを初期化してカウントを開始する（ステップＳ０２）。
カウント計測手段がカウンタを増加していく（ステップＳ０３）。
そして、投薬タイミング告知手段は、記憶手段のＰＲＯＭに記憶されている投薬間隔カウント数を読み取り、読み取った投薬間隔カウント数と、カウンタとを比較して、実際のカウントが投薬間隔カウント数になったか否かの判定を行う（ステップＳ０４）。
投薬タイミング告知手段は、カウンタの値が投薬間隔カウント数を超えた場合、アラーム音を出力する（ステップＳ０５）。このアラーム音と共に、表示手段を用いてメッセージを表示することもできる。また、アラーム音と共に、バイブレーション手段を用いて装置本体を振動させることもできる。
アラーム音はボタン手段のボタンが押された場合に停止する（ステップＳ０６，０８）。そして、アラーム音は、予め設定された所定回数、所定時間、出力される（ステップＳ０７）。所定回数、所定時間、出力されるとは、例えば、１５秒間アラーム音を継続出力し、４５秒合間を置いた後、更に１５秒間アラーム音を継続出力し、これらを３回繰り返す。
これで、１回目の投薬タイミングを告知できたことになる。これはリセットボタンが押されるまで、２回目の投薬タイミング、３回目の投薬タイミング、
回目の投薬タイミングといったように繰り返されていく（ステップＳ０９）。
【００２３】
次に、図４を参照して、実施例１の投薬管理装置の外観図について説明する。
図４は、薄型カードタイプの投薬管理装置（錠剤を内包するもの）の外観イメージ図を示している。投薬管理装置１は、横５０ｍｍ、縦８０ｍｍ、厚さが５ｍｍ程度の薄型カード形状をしている。装置本体内には薬剤収納スペース４２が設けられ、またＩＣモジュール３０が配置されている。薬剤収納スペース４２には、錠剤２のサイズに合わせて、開口部４３が設けられている。図４の場合は、薬剤収納スペース４２が３段設けられている。薬剤２を取り出すには、開口部４３を下方に向けて、薬剤２の重さを利用して取り出す方法と、薬剤取出し棒４４を挿入孔４５に差し込んで薬剤２を押し出す方法がある。
また、装置のインタフェースとして、カウント開始用とアラーム停止用の操作ボタン５１と、リセットボタン５２と、アラーム音出力部５３が設けられている。
【００２４】
（その他の実施例）
（１）上述の実施例では、ボタン手段として押しボタンを示しているが、これはスライド式のスイッチでもかまわない。
（２）上述の実施例では、ＰＲＯＭへの書き込みはコンピュータ端末と接続させてデータ転送しているが、これはＩＣカードリーダライタで書き込むものとしてもよい。
（３）上述の実施例では、アラーム音を出力しているが、更に装置本体に液晶表示パネルを設けて、文字メッセージを表示してもよい。
【産業上の利用可能性】
【００２５】
本考案は、患者の投薬管理装置として有用である。
【符号の説明】
【００２６】
１  投薬管理装置
２  薬剤（錠剤）
１１  記憶手段
１２  カウンタ計測手段
１３  ボタン手段
１４  投薬タイミング告知手段
１５  表示手段
１６  データ転送手段
１７  投薬実施ボタン手段
２１  カウンタ
２２  投薬間隔カウント数
３０  ＩＣモジュール
３１  ＣＰＵ
３２  ＲＡＭ
３３  ＰＲＯＭ
４２  薬剤収納スペース
４３  開口部
４４  薬剤取出し棒
４５  挿入孔
５１  操作ボタン
５２  リセットボタン
５３  アラーム音出力部
【図１】
0003151133.tif 000003
【図２】
0003151133.tif 000004
【図３−１】
0003151133.tif 000005
【図３−２】
0003151133.tif 000006
【図４】
0003151133.tif 000007